(57)【特許請求の範囲】
【請求項１】
１分子あたり炭素原子数が少なくとも５の炭化水素から大部分成り、かつ１分子あたり炭素原子数が多くとも６の少なくとも１つの不飽和化合物、そのうちのベンゼンを含む仕込原料の処理方法であって、
・排出帯域 (zone d'epuisement)と精留帯域とを備え、水素化反応帯域と組み合わされ、かつ少なくとも１つの触媒床を含む蒸溜帯域において、前記仕込原料を処理し、この帯域において、水素化触媒の存在下、および水素を含む気体流(flux)の存在下、１分子あたり炭素原子数が多くとも６でありかつ前記仕込原料に含まれる不飽和化合物の少なくとも一部の水素化を実施し、反応帯域の仕込原料は、抜出し(prelevement) のレベルの高さで抜出され、かつ精留帯域を流れる液体の少なくとも一部を占めるものであり、反応帯域の流出物は、蒸溜帯域に少なくとも一部再導入されて、蒸溜の連続性を確保するようにし、最終的に、蒸溜帯域の頂部において、１分子あたり炭素原子数が多くとも６の不飽和化合物が非常にプアになった流出物を取出し、蒸溜帯域の底部において、１分子あたり炭素原子数が多くとも６の不飽和化合物がプアになった流出物を取出すようにし、
・蒸溜帯域の頂部から出た流出物の少なくとも一部であって、１分子あたり炭素原子数５および／または６のパラフィンを含むものを、異性化帯域において、異性化触媒の存在下に処理し、異性化物を得るようにする方法。
【請求項２】
蒸溜が、圧力２〜20バール、リフラックス率１〜10で実施され、蒸溜帯域の頂部の温度が40〜180 ℃であり、蒸溜帯域の底部の温度が120 〜280 ℃である、請求項１による方法。
【請求項３】
水素化反応帯域が、少なくとも一部、蒸溜帯域の内側にある、請求項１または２による方法。
【請求項４】
水素化反応帯域が、少なくとも一部、蒸溜帯域の外側にある、請求項１または２による方法。
【請求項５】
水素化帯域が、一部、蒸溜帯域の精留帯域内に組込まれていると同時に、一部、蒸溜帯域の外側にある、請求項１または２による方法。
【請求項６】
蒸溜帯域の内側での水素化反応の部分に関して、水素化反応は、温度100 〜200 ℃、圧力２〜20バールで実施され、水素化帯域に供給される水素の流量は、実施される水素化反応の化学量論に相当する流量の１〜10倍である、請求項３または５による方法。
【請求項７】
蒸溜帯域の外側での水素化反応の部分に関して、この水素化工程に要する圧力が、１〜60バールであり、温度が100 〜400 ℃であり、触媒に対して計算された、水素化帯域中の空間速度が、一般に１〜50／ｈ（触媒１容あたり毎時の仕込原料容量）であり、実施される水素化反応の化学量論に相当する水素の流量が、前記化学量論の0.5 〜10倍である、請求項４または５による方法。
【請求項８】
水素化触媒が、蒸溜帯域の内側にある水素化帯域のすべての触媒床に関して、下降液相および上昇蒸気相と接触している、請求項３、５または６のうちの１つによる方法。
【請求項９】
水素化帯域に必要な水素を含む気体流が、実質的に水素化帯域の少なくとも１つの触媒床の入口において、蒸気相と合流する、請求項８による方法。
【請求項１０】
水素化される液体の流れは、蒸溜帯域の内側にある水素化帯域のすべての触媒床に関して、水素を含む気体流の流れと並流である、請求項１〜７のうちの１つによる方法。
【請求項１１】
水素化される液体の流れは、蒸溜帯域の内側にある水素化帯域のすべての触媒床に関して、水素を含む気体流の流れと並流であり、かつ蒸溜蒸気は、事実上、触媒と接触していない、請求項３、５または６のうちの１つによる方法。
【請求項１２】
水素化帯域が、前記帯域のすべての触媒床内に、少なくとも１つの液体分配装置と、前記帯域の内側の水素化帯域のすべての触媒床に関して、少なくとも１つの、水素を含む気体流の分配装置とを備える、請求項１１による方法。
【請求項１３】
水素を含む気体流の分配装置が、液体分配装置の前に配置されている、請求項１２による方法。
【請求項１４】
水素を含む気体流の分配装置が、液体分配装置のレベルに配置されている、請求項１２による方法。
【請求項１５】
水素を含む気体流の分配装置が、液体分配装置の後に配置されている、請求項１２による方法。
【請求項１６】
蒸溜帯域の底部の流出物が、異性化流出物と少なくとも一部混合される、請求項１〜１５のうちの１つによる方法。
【請求項１７】
蒸溜帯域の頂部の流出物が、シクロヘキサンおよび１分子あたり炭素原子数７のイソパラフィンを事実上含んでいない、請求項１〜１６のうちの１つによる方法。
【請求項１８】
水素化帯域で用いられる触媒が、ニッケルと白金とからなる群から選ばれる少なくとも１つの金属を含む、請求項１〜１７のうちの１つによる方法。
【請求項１９】
水素化帯域で用いられる触媒が担体を含む、請求項１〜１８のうちの１つによる方法。
【請求項２０】
異性化触媒が、元素周期表第VIII族の少なくとも１つの金属と、アルミナを含む担体とから成る、請求項１〜１９のうちの１つによる方法。
【請求項２１】
前記触媒が、その外に、少なくとも１つのハロゲンを含む、請求項２０による方法。
【請求項２２】
温度が80〜300 ℃、水素分圧が0.1 〜70バールであり、空間速度が、触媒１リットルあたり毎時液体炭化水素0.2 〜10リットルであり、異性化物中の水素と炭化水素とのモル比が0.06以上である、請求項２０または２１による方法。
【請求項２３】
異性化触媒が、元素周期表第VIII族の少なくとも１つの金属と、ゼオライトとを含む、請求項１〜１９のうちの１つによる方法。
【請求項２４】
前記ゼオライトが、モルデナイトと、オメガゼオライトとからなる群から選ばれる、請求項２３による方法。
【請求項２５】
温度が200 〜300 ℃、水素分圧が0.1 〜70バールであり、空間速度が、触媒１リットルあたり毎時液体炭化水素0.5 〜10リットルであり、異性化物中の水素と炭化水素とのモル比が0.07〜15である、請求項２３または２４による方法。
【請求項２６】
第VIII族の金属が、白金、ニッケルおよびパラジウムからなる群から選ばれる、請求項２０〜２５のうちの１つによる方法。
【請求項２７】
蒸溜帯域の頂部から出る、場合によっては過剰の水素は、回収され、ついで圧縮され、水素化帯域において再使用されうる、請求項１〜２６のうちの１つによる方法。
【請求項２８】
蒸溜帯域の頂部から出る、場合によっては過剰の水素は、回収され、ついで圧縮され、異性化帯域において再使用されうる、請求項１〜２６のうちの１つによる方法。
【請求項２９】
蒸溜帯域の頂部から出る、場合によっては過剰の水素は、回収され、ついで、接触リフォーミング装置と組合わされた圧縮工程の上流に、前記装置から来る水素と混合されて注入される、請求項１〜２６のうちの１つによる方法。
【請求項３０】
前記接触リフォーミング装置は、圧力８バール以下で操作される、請求項２９による方法。
【請求項３１】
異性化帯域において、大部分１分子あたり炭素原子数５および／または６のパラフィンを含むもう１つの留分をも処理する、請求項１〜３０のうちの１つによる方法。
【発明の詳細な説明】
【０００１】
【産業上の利用分野】
本発明は、本質的に１分子あたり炭素原子数が少なくとも５の炭化水素留分の、軽質（すなわち１分子あたり炭素原子数が多くとも６の）不飽和化合物、そのうちのベンゼンの含量の、オクタン価の顕著なロスを伴わない、選択的減少方法に関しており、前記方法は、水素化反応帯域と組合わされた蒸溜帯域中の前記留分の通過、ついで主としてＣ5-6 炭化水素、すなわち１分子あたり炭素原子数５および／または６の炭化水素を含む、蒸溜帯域の流出物の一部の、パラフィンの異性化帯域中の通過から成る。
【０００２】
【従来技術および解決すべき課題】
ベンゼンおよびオレフィン、すなわち不飽和化合物の確認されている有害性を考慮に入れると、ガソリン中のこれらの成分の含量を減少させるのが、一般的傾向である。
【０００３】
ベンゼンは、発癌性を有するので、特に、事実上自動車燃料からこれを除去することによって、大気を汚染するあらゆる可能性を最大限に制限する必要がある。米国では、新配合(reformule) の燃料は、１％以上のベンゼンを含んでいてはならない。ヨーロッパでは、規格はまだそれほど厳しくないが、徐々にこの価を目指すことが勧められている。
【０００４】
オレフィンは、窒素酸化物との光化学反応サイクルにおいて、最も反応性の高い炭化水素の１つと確認された。このサイクルは、大気中に生じ、オゾン形成につながるものである。空気中のオゾン濃度の上昇は、呼吸器障害の原因になりうる。従って、ガソリンのオレフィン、より詳しくは、燃料の操作の際に気化する傾向が最も高い、最も軽質なオレフィンの含量を減少させることが望ましい。
【０００５】
ガソリンのベンゼン含量は、このガソリンのリフォーマート(reformat)成分の含量に拠るものが大きい。リフォーマートは、ナフサの接触処理の結果生じるが、この処理は、分子中に６〜９個の炭素原子を主として有し、かつその非常に高いオクタン価が、ガソリンにアンチノック性を与える、芳香族炭化水素を生じるためのものである。
【０００６】
上記有害性のために、リフォーマートのベンゼン含量を最大限に減少させる必要がある。いくつかの方法が考えられる。
【０００７】
第一の方法は、接触リフォーミング装置の仕込原料を成すナフサ中において、ベンゼンの先駆物質、例えばシクロヘキサンおよびメチルシクロペンタン含量を制限することから成る。この解決法によって、リフォーミング装置の流出物のベンゼン含量を顕著に減少させることができることは確かであるが、１％という低い含量にまで下げる場合には、この解決法だけでは十分ではない。第二方法は、ベンゼンを含むリフォーマートの軽質フラクションを、蒸溜によって除去することから成る。この解決法は、ガソリンにおいて有効利用できるかもしれない炭化水素の15〜20％程度を失うことになる。第三の方法は、リフォーミング装置の流出物中に存在するベンゼンを抽出することから成る。既知のいくつかの技術が、原則として適用可能である。例えば溶媒抽出、抽出蒸溜、吸着である。産業的には、これらの技術のどれも適用されない。これは、どの技術も、ベンゼンを経済的に選択抽出することができないからである。第四の方法は、ベンゼンを化学的に転換して、これを法的規制の対象にならない成分に転換することから成る。例えばエチレンによるアルキル化は、ベンゼンを主としてエチルベンゼンに転換する。しかしながらこの操作は、エネルギー面でコストが高い分離が必要な副反応が介在するので、費用がかかる。
【０００８】
リフォーマートのベンゼンはまた、シクロヘキサンに水素化されうる。同様にトルエンおよびキシレンをも含む炭化水素混合物からベンゼンを選択的に水素化することは不可能であるので、ベンゼンしか含まない留分を単離するように、この混合物を予め分別する必要がある。これはついで水素化されうる。ベンゼンの水素化触媒が、ベンゼンをその他の芳香族から分離する蒸溜塔の精留帯域に入れられている方法も記載されている（"Benzene Reduction" 、Kerry Rock and Gary Gildert CDTECH, 1994年、Conference on Clean Air Act Implementation and Reformulated Gasoline, Oct.94) 。これによって、装置の経済性が得られる。
【０００９】
リフォーマートのベンゼンの水素化によって、オクタン価を失うことになる。このオクタン価のロスは、高いオクタン価の化合物、例えばエーテル、例えばMTBEまたはETBE、または網状化（非直鎖状）パラフィン系炭化水素の添加によって補うことができる。これらの網状化パラフィン系炭化水素は、直鎖状パラフィンの異性化によって、リフォーマートそれ自体から生じうる。しかしながら、直鎖状パラフィンの分枝状パラフィンへの異性化触媒は、その他の化学族の炭化水素に対して、不活性ではないことが知られている。共沸現象によって、ベンゼンと共に蒸溜するもののうち、例えばシクロヘキサンは、一部メチルシクロペンタンに転換される。このナフテン物質の反応は、触媒上で、パラフィンの異性化反応と競合し、その結果、その進捗を減少させる。他方、１分子あたり炭素原子数７のイソパラフィンは、クラッキングを受ける。これは、一方で、異性化触媒の漸進的汚れ形成(encrassement)を生じ、したがって活性が低くなり、他方、所望の生成物、すなわちガソリン中に含まれるべき軽質リフォーマートの収率の減少につながる。
【００１０】
【課題を解決するための手段】
本発明による方法は、前記欠点を回避する。すなわちこの方法によって、低いコストで、粗リフォーマートから、ベンゼンプアになったリフォーマート、あるいは必要であれば、ベンゼン並びに１分子あたり炭素原子数が多くとも６の不飽和炭化水素、例えば軽質オレフィンがほぼ完全に浄化されたリフォーマートを、収率を有意に失うことなく、かつオクタン価のロスが非常にわずかであるか、あるいはオクタン価の増加を伴なって、生成することが可能になる。
【００１１】
本方法は、少なくとも一部、好ましくは大部分、異性化の方に向けられる留分中において、ベンゼン、シクロヘキサンおよび１分子あたり炭素原子数７のイソパラフィンとの共沸によって、エントレインメントを回避するように配列され、かつ操作される、蒸溜、水素化および異性化の３つの操作の統合を特徴とする。従って、本発明による方法は、ベンゼン、および仕込原料中に場合によって存在する、１分子あたり炭素原子数が多くとも６の、ベンゼン以外のあらゆる不飽和化合物の、少なくとも一部の選択的水素化を実施する。
【００１２】
本発明による方法は、大部分、１分子あたり炭素原子数が少なくとも５、好ましくは５〜９の炭化水素から成り、かつ１分子あたり炭素原子数が多くとも６の少なくとも１つの不飽和化合物、そのうちのベンゼンを含む仕込原料の処理方法であって、
・排出帯域（zone d'epuisement)と精留帯域とを備え、水素化反応帯域と組合わされ、かつ少なくとも１つの触媒床を含む蒸溜帯域において、前記仕込原料を処理し、この帯域において、水素化触媒の存在下、および好ましくは大部分水素を含む気体流の存在下、１分子あたり炭素原子数が多くとも６、すなわち１分子あたり６個（６も含める）までの炭素原子を有しかつ前記仕込原料に含まれる不飽和化合物の少なくとも一部の水素化を実施し、反応帯域の仕込原料は、抜出し(prelevement) のレベルの高さで抜出され、蒸溜帯域を流れる液体、好ましくは精留帯域を流れる液体、より好ましくは精留帯域の中間レベルを流れる液体の少なくとも一部、好ましくは大部分を占めるものであり、反応帯域の流出物は、少なくとも一部、好ましくは大部分、蒸溜帯域に再導入されて、蒸溜の連続性を確保するようにし、かつ最終的に、蒸溜帯域の頂部で、１分子あたり炭素原子数が多くとも６の不飽和化合物が非常にプアになった流出物を取出し、蒸溜帯域の底部で、１分子あたり炭素原子数が多くとも６の不飽和化合物がプアになった流出物を取出すようにし、
・蒸溜帯域の頂部から出た流出物の少なくとも一部、好ましくは大部分であって、１分子あたり炭素原子数５および／または６のパラフィン（すなわち１分子あたり炭素原子数５のパラフィンと、１分子あたり炭素原子数６のパラフィンとから成る群から選ばれるもの）を含む部分を、場合によっては、大部分１分子あたり炭素原子数５および／または６のパラフィンを含む他の留分の存在下、異性化触媒の存在下に処理し、異性化物を得るようにする。
【００１３】
大部分１分子あたり炭素原子数５および／または６のパラフィンを含む他の留分は、場合によっては、蒸溜帯域の頂部から出た流出物の部分と共に、異性化仕込原料中に存在しているが、これは当業者に知られたあらゆるソースから由来するものである。例えば、ナフサの分別装置から来る軽質ナフサと呼ばれる留分を挙げることができる。
【００１４】
蒸溜帯域に供給される仕込原料は、一般に前記帯域の少なくとも１つのレベルにおいて、好ましくは主に前記帯域の唯一のレベルにおいて、前記帯域に導入される。
【００１５】
蒸溜帯域は一般に、少なくとも１つの塔を備える。この塔は、棚段、乱雑な充填物(garnissages) および構造化された充填物からなる群から選ばれる、少なくとも１つの蒸溜内側部を、当業者に知られているように、全体の総効率が、一般に少なくとも５つの理論段に等しくなるように備えられている。１つだけの塔を用いることが問題を引起こすような、当業者に知られたケースでは、一般に前記帯域を分割して、最終的には少なくとも２つの塔を用いるようにするのが好ましい。これら２つの塔は、端と端を合わせて、前記帯域をつくる。すなわち精留帯域、場合によっては反応および排出帯域が、塔に配置されていることになる。実際には、反応帯域が、少なくとも一部、蒸溜帯域の内側にあるとき、精留帯域または排出帯域、好ましくは排出帯域は、一般に、蒸溜帯域の内側に反応帯域を備える塔とは異なる、少なくとも１つの塔の中にあってもよい。
【００１６】
水素化反応帯域は、一般に、少なくとも１つの水素化触媒床、好ましくは１〜４の触媒床を備える。少なくとも２つの触媒床が、蒸溜帯域の中に組込まれている場合には、これらの２つの床は、場合によっては、少なくとも１つの蒸溜部によって分離される。水素化反応帯域は、少なくとも一部、仕込原料中に存在するベンゼンの水素化を行なって、一般に、頂部流出物のベンゼン含量が、最大でも、ある１つの含量と等しくなるようにし、前記反応帯域は、少なくとも一部、好ましくは大部分、場合によっては仕込原料中に存在する、１分子あたり炭素原子数が多くとも６であって、かつベンゼン以外のあらゆる不飽和化合物の水素化を実施する。
【００１７】
本発明の第一実施態様によれば、本発明の方法は、水素化反応帯域が、少なくとも一部、好ましくは全部、蒸溜帯域の内側にあるようなものである（以下、この蒸溜帯域の内側にある水素化反応帯域の少なくとも一部を「水素化帯域の蒸溜帯域内側部分」という）。従って、水素化帯域の蒸溜帯域内側部分については、液体の抜出しは、蒸溜帯域の内側にある反応帯域の流れによって自然に行なわれる。蒸溜帯域への流出物の再導入もまた、蒸溜帯域の内側にある反応帯域からの液体の流れによって自然に行なわれ、蒸溜の連続性を確保するようにする。さらに、本発明による方法は、好ましくは、水素化される液体の流れが、水素化帯域の蒸溜帯域内側部分のすべての触媒床について、水素を含む気体流の流れと並流であるようなものであり、さらに好ましくは、水素化帯域の蒸溜帯域内側部分のすべての触媒床について、水素化される液体の流れが、水素を含む気体流の流れと並流であり、蒸溜蒸気が前記液体から分離されるようなものである。
【００１８】
本発明の第二実施態様によれば、先行実施態様とは無関係に、本発明による方法は、水素化反応帯域が、少なくとも一部、好ましくは全部、蒸溜帯域の外側にあるようなものである（以下、この蒸溜帯域の外側にある水素化反応帯域の少なくとも一部を「水素化帯域の蒸溜帯域外側部分」という）。従って、水素化帯域の蒸溜帯域外側部分の少なくとも１つの触媒床の流出物は、一般に実質的に、ある抜出しレベルの近く、好ましくは、前記触媒床に供給を行なう抜出しレベルの近くに再導入される。一般に、本発明による方法は、水素化帯域の蒸溜帯域外側部分に供給を行なう、１〜４個の抜出しレベルを備える。従って２つのケースがありうる。第一のケースでは、水素化帯域の蒸溜帯域外側部分は、唯一の抜出しレベルから供給が行なわれ、従って前記部分は、少なくとも２つの反応器内に分配された少なくとも２つの触媒床を備えるならば、前記反応器は、直列または平行に配置される。第二のケースでは、本発明によれば好ましいものであるが、水素化帯域の蒸溜帯域外側部分は、少なくとも２つの抜出しレベルから供給が行なわれる。
【００１９】
前記２つの実施態様を組合わせた、本発明の第三実施態様によれば、本発明による方法は、水素化帯域が、一部、蒸溜帯域に組込まれている、すなわち蒸溜帯域の内側にあるのと同時に、一部、蒸溜帯域の外側にある。このような実施態様によれば、水素化帯域は、少なくとも２つの触媒床を備える。少なくとも１つの触媒床は、蒸溜帯域の内側にあり、少なくとももう１つの触媒床は、蒸溜帯域の外側にある。水素化帯域の蒸溜帯域外側部分が、少なくとも２つの触媒床を備える場合、各触媒床は、好ましくは、水素化帯域の蒸溜帯域外側部分の前記触媒床の流出物が再導入される唯一のレベルと組合わされた、唯一の抜出しレベルから供給される。前記抜出しレベルは、１つまたは複数のその他の触媒床に供給を行なう抜出しレベルとは異なっている。一般に、水素化される液体は、一部あるいは全部、まず、水素化帯域の蒸溜帯域外側部分、ついで水素化帯域の蒸溜帯域内側部分を流れる。蒸溜帯域の内側にある反応帯域の部分は、第一実施態様に記載された特徴を有する。蒸溜帯域の外側にある反応帯域の部分は、第二実施態様に記載された特徴を有する。
【００２０】
本発明のもう１つの実施態様によれば、先行実施態様とは無関係に、またはこれと関係して、本発明による方法は、水素化される液体の流れが、水素化帯域のすべての触媒床について、水素を含む気体流の流れと並流または向流、好ましくは並流であるようなものである。
【００２１】
本発明の方法による水素化の実施の場合、ベンゼンの所望の転換率のために必要な水素の理論的モル比は、３である。水素化帯域の前または水素化帯域中において、気体流中に分配された水素の量は、場合によっては、この化学量論に対して過剰である。そのため、仕込原料中に存在するベンゼンの外に、前記仕込原料中に存在する、１分子あたり炭素原子数が多くとも６のあらゆる不飽和化合物を少なくとも一部、それだけ一層水素化しなければならない。過剰の水素が存在するならば、有利には、例えば下記技術のうちの１つに従って、回収されうる。第一の技術によれば、蒸溜帯域の頂部から出る過剰の水素は、回収され、ついで圧縮され、水素化帯域で再使用される。第二の技術によれば、蒸溜帯域の頂部から出る過剰の水素は、回収され、ついで圧縮され、異性化帯域で再使用される。第三の技術によれば、蒸溜帯域の頂部から出る過剰の水素は、回収され、ついで接触リフォーミング装置と組合わされた圧縮工程の上流において、前記装置から来る水素と混合して注入される。前記装置は、好ましくは低圧、すなわち一般に、８バール以下の圧力で（１バール＝105 Pa）作動する。
【００２２】
１分子あたり炭素原子数が多くとも６であり、かつ気体流中に含まれている不飽和化合物の水素化のために、本発明に従って用いられる水素は、純度が少なくとも50容量％、好ましくは少なくとも80容量％、さらに好ましくは少なくとも90容量％で水素を生じるあらゆるソースから生じるものであってもよい。例えば、接触リフォーミング、メタン化、P.S.A.（圧力変化による吸着）、電子化学的発生、蒸気分解または蒸気リフォーミングなどの方法に由来する水素を挙げることができる。同様に例えば、水素化方法に注入された水素が、まず異性化工程を経ることも考えられる。このような場合、水素は異性化装置に注入されて、炭素の沈積による異性化触媒の不活性化を遅らせる。異性化帯域の消費されない水素は、ついで精製され、次に水素化装置において用いられうる。
【００２３】
本発明の方法の好ましい実施態様の１つは、先行実施態様とは無関係にあるいは関係して、蒸溜帯域の底部の流出物が、少なくとも一部、異性化流出物と混合されるようなものである。このようにして得られた混合物は、場合による安定化後、直接、あるいは燃料フラクションに組込まれて、燃料として用いることができる。
【００２４】
一般に好ましくは、操作条件は、仕込原料の種類および反応性蒸溜の専門家に知られたその他のパラメータ、例えば蒸溜物／仕込原料比と関連させて、蒸溜帯域の頂部流出物が、シクロヘキサンおよび１分子あたり炭素原子数７のイソパラフィンを事実上含まないように、適切に選ばれる。従って本発明による方法は、一般に好ましくは、蒸溜帯域の頂部流出物が、シクロヘキサンおよび１分子あたり炭素原子数７のイソパラフィンを事実上含まないようなものである。
【００２５】
水素化帯域が、少なくとも一部、蒸溜帯域に組込まれているとき、水素化触媒は、提案されている種々の技術に従って組込まれた前記部分の中に配置されて、接触蒸溜を行なうようにされてもよい。これらの技術は本質的に２つのタイプのものである。
【００２６】
第一のタイプの技術によると、例えば国際特許出願WO-A-90/02.603、米国特許US-A-4,471,154、US-A-4,475,005、US-A-4,215,011、US-A-4,307,254、US-A-4,336,407、US-A-4,439,350、US-A-5,189,001、US-A-5,266,546、US-A-5,073,236、US-A-5,215,011、US-A-5,275,790、US-A-5,338,517、US-A-5,308,592、US-A-5,236,663、US-A-5,338,518、および欧州特許EP-B1-0.008.860 、EP-B1-0.448.884 、EP-B1-0.396.650 、EP-B1-0.494.550 、および欧州特許出願EP-A1-0.559.511 が教示しているように、反応および蒸溜は、同じ物理種において、同時に行なわれる。従って、触媒は一般に、蒸溜帯域の頂部に導入されたリフラックスによって発生した下降液相と接触しており、かつ帯域の底部に導入された再沸騰蒸気によって発生した上昇蒸気相と接触している。このタイプの技術によれば、反応帯域に必要な水素を含む気体流は、本発明の方法の実施のためには、反応帯域の少なくとも１つの触媒床の実質的に入口において、蒸気相と合流されてもよいであろう。
【００２７】
第二のタイプの技術によれば、触媒は、例えば米国特許US-A-4,847,430、US-A-5,130,102、US-A-5,368,691が教示するように、反応および蒸溜が一般に、独立して、かつ相次いで行なわれるように配置される。蒸溜帯域の蒸気は、事実上、反応帯域のすべての触媒床を通過するわけではない。従って本発明による方法は、一般に、水素化される液体の流れが、水素を含む気体流の流れと並流であるようなものであり、蒸溜蒸気は、水素化帯域の蒸溜帯域内側部分のすべての触媒床について、事実上、触媒と接触しないようなものである（このことは、一般に実際、水素化される前記液体から前記蒸気が分離されるという事実となって現われる）。この第二のタイプの技術のあらゆる場合に、蒸溜帯域にある反応帯域の部分のすべての触媒床は、一般に、水素を含む気体流、およびこれから反応する液体の流が、一般に上昇並流で、前記床を通って流れる。ただし全体としては、接触蒸溜帯域内において、水素を含む気体流、およびこれから反応する液体の流は向流で流れるのであるが。このような装置は一般に、反応帯域のすべての触媒床に、例えば液体配分器(repartiteur) であってもよい、少なくとも１つの液体分配装置を備える。それにもかかわらず、これらの技術が、液体反応体相互間に生じる接触反応のために考えられたものである限り、これらは、水素化接触反応の場合には、変更を加えなければ不都合であろう。この反応の場合には、反応体の１つである水素は、気体の状態であるのであるからである。水素化帯域の蒸溜帯域内側部分のすべての触媒床の場合、したがって一般に、例えば下記３つの技術のうちの１つに従って、水素を含む気体流の分配装置を付加える必要がある。従って、水素化帯域の蒸溜帯域内側部分は、水素化帯域の蒸溜帯域内側部分のすべての触媒床について、少なくとも１つの液体分配装置と、水素を含む気体流の少なくとも１つの分配装置とを備える。第一技術に従って、水素を含む気体流の分配装置は、液体分配装置の前に、従って触媒床の前に配置される。第二技術によれば、水素を含む気体流の分配装置は、水素を含む気体流が、触媒床の前に、液体中に導入されるように、液体分配装置のレベルに配置される。第三技術によれば、水素を含む気体流の分配装置は、液体分配装置の後、従って触媒床の中に、好ましくは前記触媒床中の前記液体分配装置から遠くないところに配置される。上で用いられた「前」および「後」という用語は、触媒床を通過する液体の流れの方向に対して、すなわち一般に上昇方向に対してと理解される。
【００２８】
本発明による方法の好ましい実施態様の１つは、水素化帯域の蒸溜帯域内側部分の触媒が、米国特許US-A-5,368,691に記載されている基本装置に従って、反応帯域内に配置されるようなものである。この装置は、蒸溜帯域の内側のすべての触媒床が、例えば前記３つの技術のうちの１つに従って、規則的にその基部(base)に分配される、水素を含む気体流によって供給が行なわれるように備えられている。この技術に従って、もし蒸溜帯域が、ただ１つの塔を備えているならば、またもし水素化帯域が、全部、前記塔の内側にあるならば、蒸溜帯域の内側の、すべての触媒床に入れられている触媒は、ついで上昇液相と接触する。この液相は、蒸溜塔の頂部に導入されるリフラックスによって発生する。かつ、液体と同じ方向に流れる水素を含む気体流とも接触する。蒸溜蒸気相との接触は、この蒸気相を、特別に備えられた少なくとも１つの煙突を通過させることによって回避される。
【００２９】
水素化帯域が、少なくとも一部、蒸溜帯域の内側にあるとき、蒸溜帯域の内側の水素化帯域の部分の操作条件は、蒸溜の操作条件と関連している。蒸溜は、その底部生成物が、仕込原料の、シクロヘキサンおよび炭素原子数７のイソパラフィンの大部分、並びにベンゼンの水素化によって形成されたシクロヘキサンを含むように実施される。蒸溜は、一般に、圧力２〜20バール、好ましくは４〜10バール（１バール＝105 Pa）で、リフラックス率１〜10、好ましくは３〜６で実施される。帯域の頂部温度は、一般に40〜180 ℃、帯域の底部温度は、一般に120 〜280 ℃である。水素化反応は、最も一般的には、蒸溜帯域の頂部と底部との定められた温度の中間である条件下に実施され、温度は100 〜200 ℃、好ましくは120 〜180 ℃、圧力２〜20バール、好ましくは４〜10バールである。水素化に付される液体は、水素を含む気体流によって供給される。これの流量は、前記液体中のベンゼン濃度、より一般的には、蒸溜帯域の仕込原料の１分子あたり炭素原子数が多くとも６の不飽和化合物の濃度に拠る。これは一般に、実施される水素化反応（水素化仕込原料に含まれている、ベンゼンおよび１分子あたり炭素原子数が多くとも６のその他の不飽和化合物の水素化）の化学量論に相当する流量と少なくとも同じであり、多くとも、化学量論の10倍の流量、好ましくは化学量論の１〜６倍、さらに好ましくは化学量論の１〜３倍である。
【００３０】
水素化帯域が一部、蒸溜帯域の外側にあるとき、前記水素化帯域の蒸溜帯域外側部分部分に配置される触媒は、蒸溜帯域の操作条件とは無関係に、あるいは関係して、好ましくはこれに無関係な操作条件（温度、圧力等）下、当業者に知られたあらゆる技術に従うものである。
【００３１】
蒸溜帯域の外側にある水素化帯域の部分において、操作条件は、一般に下記のとおりである。この水素化工程に要する圧力は、一般に、絶対圧１〜60バール、好ましくは２〜50バール、さらに好ましくは５〜35バールである。
【００３２】
水素化帯域の蒸溜帯域外側部分の操作温度は、一般に100 〜400 ℃、好ましくは120 〜350 ℃、さらに好ましくは140 〜320 ℃である。触媒に対して計算される前記水素化帯域の蒸溜帯域外側部分の中の空間速度は、一般に１〜50、より詳細には１〜30／ｈ（触媒１容あたり毎時の仕込原料容積）である。用いられる水素化反応の化学量論に相当する水素流量は、前記化学量論の0.5 〜10倍であり、好ましくは前記化学量論の１〜６倍であり、さらに好ましくは前記化学量論の１〜３倍である。しかしながら温度および圧力条件もまた、本発明の方法の枠内において、蒸溜帯域の頂部および底部で定められたものの中のどれかであってもよい。
【００３３】
より一般的には、蒸溜帯域に対する水素化帯域の位置がどこであれ、本発明の方法による水素化帯域で用いられる触媒は、一般に、そのまま、または好ましくは担体上に担持されて用いられる、ニッケルと白金とから成る群から選ばれる少なくとも１つの金属を含む。金属は、一般に、全体の少なくとも50重量％だけ還元形態でなければならない。しかしながら、当業者に知られたその他のあらゆる水素化触媒を選んでもよい。
【００３４】
白金を用いるとき、触媒は有利には、触媒に対する重量割合0.2 〜２％で、少なくとも１つのハロゲンを含んでいてもよい。好ましくは、塩素またはフッ素、またはこれら２つの組合わせを、触媒の総重量に対して0.2 〜1.5 ％の割合で用いる。白金を含む触媒を用いる場合、一般に、白金の微結晶(cristallite) の平均サイズが、60×10-10 以下、好ましくは20×10-10 ｍ以下、さらに好ましくは10×10-10 ｍ以下であるような触媒を用いる。さらには、触媒の総重量に対する白金の総割合は、一般に0.1 〜１％、好ましくは0.1 〜0.6 ％である。
【００３５】
ニッケルを用いる場合、触媒の総重量に対するニッケルの割合は、５〜70％、より詳細には10〜70％、さらに好ましくは15〜65％である。さらには、一般に、ニッケルの微結晶の平均サイズが、100 ×10-10 ｍ以下、好ましくは80×10-10 ｍ以下、さらに好ましくは60×10-10 ｍ以下であるような触媒を用いる。
【００３６】
担体は一般に、アルミナ、シリカ・アルミナ、シリカ、ゼオライト、活性炭、粘土、アルミナセメント、希土類酸化物、およびアルカリ土類酸化物からなる群から、単独または混合して選ばれる。好ましくは、比表面積30〜300 ｍ2 ／ｇ、好ましくは90〜260 ｍ2 ／ｇのアルミナまたはシリカベースの担体を用いる。
【００３７】
本発明による異性化帯域において用いられる異性化触媒は、一般に２つのタイプのものである。しかしながら、当業者に知られたその他のあらゆる異性化触媒を選んでもよい。
【００３８】
第一のタイプの触媒は、アルミナベースである。好ましくは、この触媒は、元素周期表第VIII族の少なくとも１つの金属と、アルミナを含む担体とから成る。好ましくは、その外に、少なくとも１つのハロゲン、好ましくは塩素を含む。従って、本発明による好ましい触媒は、エータアルミナおよび／またはガンマアルミナから成る担体上に担持された、第VIII族の少なくとも１つの金属を含む。すなわち、例えば前記担体は、エータアルミナとガンマアルミナとから成り、エータアルミナ含量は、担体に対して85〜95重量％、好ましくは88〜92重量％、さらに好ましくは89〜91重量％であり、担体の100 重量％までの補足分は、ガンマアルミナから成る。しかしながら触媒の担体はまた、例えば本質的にガンマアルミナから成ってもよい。第VIII族の金属は、好ましくは、白金、パラジウムおよびニッケルから成る群から選ばれる。
【００３９】
本発明において場合によっては用いられるエータアルミナは、比表面積が一般に400 〜600 ｍ2 ／ｇ、好ましくは420 〜550 ｍ2 ／ｇであり、総細孔容積が、一般に0.3 〜0.5 cm3 ／ｇ、好ましくは0.35〜0.45cm3 ／ｇである。
【００４０】
本発明において場合によって用いられるガンマアルミナは、一般に、比表面積が150 〜300 ｍ2 ／ｇ、好ましくは180 〜250 ｍ2 ／ｇであり、総細孔容積が、一般に0.4 〜0.8 cm3 ／ｇ、好ましくは0.45〜0.7 cm3 ／ｇである。
【００４１】
２つのタイプのアルミナは、混合して用いられるとき、当業者に知られたあらゆる技術によって、例えばダイスを通す押出し、加圧塊状化（pastillage) または顆粒状触媒の製法(drageification)によって、定められた割合で混合および成形される。
【００４２】
本発明の方法による異性化帯域において用いられる第二のタイプの触媒は、ゼオライトベースの触媒である。すなわち第VIII族の少なくとも１つの金属と、ゼオライトとから成る。前記触媒のために種々のゼオライトを用いることができる。前記ゼオライトは、好ましくは、モルデナイトまたはオメガ  ゼオライトから成る群から選ばれる。好ましくは、Ｓｉ／Ａｌ（原子）比５〜50、好ましくは５〜30のモルデナイトを用いる。ナトリウム含量は（乾燥ゼオライトの重量に対して）0.2 ％以下、好ましくは0.1 ％以下、単位格子の格子容積Ｖが2.78〜2.73nm3 、好ましくは2.77〜2.74nm3 、ベンゼン吸着能が（乾燥固体の重量に対して）５％以上、好ましくは８％以上である。このようにして調製されたモルデナイトは、次に、一般に非晶質のマトリックス（アルミナ、シリカアルミナ、カオリン等）と混合され、当業者に知られたあらゆる方法（押出し、加圧塊状化、顆粒状触媒の製法）によって成形される。このようにして得られた担体のモルデナイト含量は、40重量％以上、好ましくは60重量％以上でなければならない。
【００４３】
同様に、オメガ  ゼオライトまたはマザイト(mazzite) をベースとする触媒を用いることもできる。前記ゼオライトは、ＳｉＯ2 ／Ａｌ2 Ｏ3 モル比が6.5 〜80、好ましくは10〜40であり、ナトリウム重量含量が、乾燥ゼオライトの重量に対して0.2 ％以下、好ましくは0.1 ％以下である。これは通常、結晶パラメータ"a" および"c" が、各々1.814nm および0.760nm （１nm＝10-9ｍ）またはそれ以下、好ましくは各々1.814 〜1.794nm 、および0.760 〜0.749nm 、窒素吸着能が、分圧0.19バール下77Ｋで測定して、約８重量％以上、好ましくは約11重量％以上である。この細孔分布は、一般に、細孔容積の５〜50％が、（BJH 法で測定された）半径が、1.5 〜14nm、好ましくは2.0 〜8.0nm に位置する孔に入っている（メゾ孔）。一般に、（これのＸ線回折図形によって測定された）この結晶率DXは、60％以上である。
【００４４】
このようにして得られたゼオライト担体は、比表面積が一般に300 〜550 ｍ2 ／ｇ、好ましくは350 〜500 ｍ2 ／ｇ、細孔容積が、一般に0.3 〜0.6 cm3 ／ｇ、好ましくは0.35〜0.5 cm3 ／ｇである。
【００４５】
異性化触媒の担体（アルミナまたはゼオライト）が何であれ、好ましくは白金、パラジウムおよびニッケルから成る群から選ばれる、第VIII族の少なくとも１つの水素化金属は、ついで当業者に知られたあらゆる技術に従って、例えば白金の場合、担体がアルミナのとき、ヘキサクロロ白金酸の形態でのアニオン交換によって、担体がゼオライトのとき、塩化白金テトラミンとのカチオン交換によって、この担体上に担持される。
【００４６】
白金またはパラジウムの場合、重量含量は、0.05〜1 ％、好ましくは0.1 〜0.6 ％である。ニッケルの場合、重量含量は、0.1 〜10％、好ましくは0.2 〜５％である。
【００４７】
このようにして調製された異性化触媒は、水素下、還元してもよい。担体がアルミナベースである場合、前記触媒は、当業者に知られたあらゆるハロゲン化化合物、好ましくは塩素化合物、例えばテトラ塩化炭素、ペルクロロエチレンによる、ハロゲン化処理、好ましくは塩素化に付される。最終触媒のハロゲン、好ましくは塩素含量は、好ましくは５〜15重量％、さらに好ましくは６〜12重量％である。触媒のこのハロゲン化処理、好ましくは塩素化は、仕込原料の注入前に装置において直接その場で（"in situ" ）、あるいは現場外で実施されてもよい。このような場合、水素下、触媒の還元処理に先立って、ハロゲン化処理、好ましくは塩素化を実施することもできる。
【００４８】
異性化帯域で用いられる操作条件は、一般に、触媒のタイプに従って、下記に記載されたものである。
【００４９】
アルミナベースの第一のタイプの触媒を用いた場合、温度は一般に、80〜300 ℃、好ましくは100 〜200 ℃である。水素分圧は、0.1 〜70バールであり、好ましくは１〜50バールである。空間速度は、触媒１リットルあたり毎時、液体炭化水素0.2 〜10、好ましくは0.5 〜５リットルである。異性化帯域の入口における水素と炭化水素とのモル比は、異性化物における水素と炭化水素とのモル比が、0.06以上、好ましくは0.06〜10であるようなものである。
【００５０】
第二のタイプのゼオライト触媒を用いた場合、温度は一般に、200 〜300 ℃、好ましくは230 〜280 ℃である。水素分圧は、0.1 〜70バールであり、好ましくは１〜50バールである。空間速度は、触媒１リットルあたり毎時、液体炭化水素0.5 〜10、好ましくは１〜５リットルである。異性化物における水素と炭化水素とのモル比は、大きな範囲の様々なものであってもよく、一般に0.07〜15、好ましくは１〜５である．
図１〜３は、各々本発明による方法の実施可能性の例証である。すべての図面において、同様の装置は同じ数字で表わされる。
【００５１】
本方法の第一実施態様は、図１に示されている。一般に少量のＣ４−（すなわち１分子あたり炭素原子数が多くとも４の）炭化水素を含む、粗Ｃ５＋（すなわち１分子あたり炭素原子数が少なくとも５の）リフォーマートが、管路(1) から、塔(2) に送られる。前記塔は、塔の内側にある蒸溜部（以下、内側蒸溜部という）を備える。これは例えば図１に示されているケースでは、前記図において破線で一部示されている、棚段または充填物である。この塔はまた、塔の内側に水素化触媒の入っている触媒部（以下、内側触媒部という）をも少なくとも１つ含む。これはまた、内側蒸溜部と交互になっていてもよい。内側触媒部は、これらの基部において、管路(4c)および(4d)を経て、管路(4) ついで管路(4a)および(4b)から来る水素を供給される。塔の底部において、主として炭素原子数７またはそれ以上の炭化水素からなる、リフォーマートの最も揮発性の低いフラクションが、管路(5) を経て回収され、熱交換器(6) で再沸騰され、管路(7) から排出される。再沸騰蒸気は、管路(8) を経て塔内に再導入される。塔の頂部において、軽質、すなわち１分子あたり炭素原子数が主として６およびそれ以下である炭化水素の蒸気が、管路(9) を経て、凝縮器(10)に、ついでタンク(11)に送られる。このタンクでは、液相と蒸気相との分離が行なわれる。この蒸気相は、主として過剰な水素から成るものであり、これは場合によっては管路(16)、ついで管路(4a)ついで(4b)、ついで管路(4c)または(4d)を経て送られる。
【００５２】
蒸気相は、タンクから管路(14)ついで(15)を経て排出される。１つのフラクションが、場合によっては、図１に示されていない装置を用いて再加圧された後、管路(16)を経て塔の方へ再循環される。
【００５３】
タンク(11)の液相は、管路(12)を経て、一部、塔頂へ再び送られ、そのリフラックスが得られる。もう１つの部分は管路(13)を経て、ついで(17)を経て、異性化反応器(18)の方へ送られる。ここでは水素流が、場合によっては、管路(4) ついで管路(4a)によって付加される。異性化物は、管路(19)から回収され、冷却され、ついでタンク(20)に送られる。ここで、本質的に水素からなる蒸気相が分離される。これは管路(22)ついで(23)から排出され、場合によっては浄化後、水素回路の方へ、管路(24)ついで管路(4a)、(4b)、(4c)または(4d)を経て再循環される。
【００５４】
液相は、管路(21)から抜出されるが、これは、必要であれば安定化後、１分子あたり炭素原子数が多くとも６の不飽和化合物がほとんど含まれていない、高オクタン価のガソリン用成分となる。
【００５５】
図２に示された、本発明の第二実施態様によれば、一般に少量のＣ４−炭化水素を含む、粗Ｃ５＋リフォーマートが、管路(1) を経て、蒸溜塔(2) に送られる。この塔は、内側蒸溜部を備える。これは例えば図２に示されているケースでは、複数の蒸溜棚段、並びに、１つの液相の抜出し(prelevement) 棚段である。管路(25)を経て抜出し棚段から抜出された液相は、管路(4) 、管路(4a)および(4b)から来る水素と接触させられ、水素化反応器(33)の方へ送られる。水素化反応器は、上昇流として、あるいは下降流として、図２に示されているように作動しうる。この反応器の流出物は、管路(26)から回収され、管路(27)、ついで(32)を経て蒸溜塔へ再循環される。一般に、これは、抜出し棚段の下に位置する蒸溜帯域の上部であって、前記棚段の近くに再循環される。一般に、水素化帯域が蒸溜帯域の外側にある場合、抜出しレベルの数がいくつであっても、最大限で４つの水素化反応器が水素化帯域を構成しうると考えられる。
【００５６】
本発明の変形例によれば、管路(26)から回収された反応器の流出物のすべてまたは一部が冷却され（図示されていない熱交換器）、管路(28)を経てタンク(29)の方へ送られる。ここで、管路(30)を経て排出される水素リッチな蒸気相と、管路(31)と(32)とを経て塔(2) の方へ再循環される液相とが分離される。塔の頂部および底部の流出物は、本方法の第一実施態様について上記されたように処理される。
【００５７】
図３に示された、本方法の第三実施態様によれば、水素化帯域は、本方法の第一実施態様について記載されたように、蒸溜塔の内側にある水素化帯域部分と、本発明の第二実施態様について記載されたように、この塔の外側にある水素化帯域部分とに分けられている。
【００５８】
実施例
下記実施例は、本発明を例証するが、図１の特別なケースである。
【００５９】
実施例１
直径50mmの金属蒸溜塔を用いる。これは、温度が塔内で定められている温度勾配をつくるように調節されている加熱ジャケットによって断熱されている。この塔は、4.5 ｍの高さにわたって、頂部から底部へ、オーバーフロー開口(deversoir) と下降管(descente)とを備えた11段の孔あき棚段からなる精留帯域、水素化接触蒸溜帯域、および63段の孔あき棚段からなる排出帯域を備えている。水素化接触蒸溜帯域は、３つの接触蒸溜ダブレット（一対の類似物）からなり、各ダブレットは、それ自体、３つの孔あき棚段が取付けられた触媒セルからなっている。触媒セルの建設詳細図および塔内におけるこれの配置は、図４に参考として図式的に示されている。触媒セル(41)は、塔の内径より２mm小さい外径を有する、平らな底部を有する円筒コンテナである。これは、その低部に、底部の上に、グリッド(42)を備えている。これは、触媒の支えの役割を果たすと同時に、水素用の液体分配器の役割も果たす。上部には触媒の保持グリッド(43)を備える。これの高さは、様々なものであってもよい。触媒(44)は、これら２つのグリッドの間の全容積を占める。触媒セルは、上部蒸溜棚段(45)から下降管(46)を経て来る液体を受入れる。液体は、セルを上昇方向に流れた後、下降管(47)から溢れて排出され、低部蒸溜棚段(48)を流れる。低部棚段(48)から出た蒸気は、セルに固定された煙突状の中央流路(49)を通るが、オリフィス(50)（図には１つだけ示されている）を経て入り、オリフィス(51)（図には１つだけ示されている）から上部棚段(45)の下に再び出る。水素は、導管(52)を経て、ついでセルの周囲の、底部のすぐ近くに配置されているオリフィス(53)（全部で６つ）を経て、触媒セルの底部に導入される。流体密(etancheite)のジョイント(54)が、触媒床に到着する前の水素の洩れを防ぐ。
【００６０】
３つのセルの各々には、PROCATALYSE 社から参照番号LD 746として販売されている、ニッケル触媒36ｇが詰められている。底部から数えて塔の37番目の棚段に、分子中に少なくとも５個の炭素原子を有する炭化水素から本質的に成るリフォーマート250 ｇ／ｈを導入する。この炭化水素の組成は、表１の２列目に示されている。同様に、各セルの基部に、4.5Nl ／ｈ流量の水素を導入する。塔は、リフラックス率５に定め、底部温度195 ℃、絶対圧力６バールに調節して、定常運転にされる。
【００６１】
安定運転のとき、181 ｇ／ｈおよび69ｇ／ｈの割合で、各々、残渣および留出物を回収する。これらの組成は、表１の３列目、および４列目に示されている。
【００６２】
留出物は、水素と共に、水素／炭化水素モル比0.125 に固定されたモル比で、塩素化アルミナ上の白金をベースとする触媒57ｇが入っている異性化反応器に送られる。この触媒は、PROCATALYSE 社から参照番号IS612Aとして販売されている。この異性化反応器は、温度150 ℃、圧力30バールで作動する。異性化反応器の流出物または異性化物の組成は、表１の最後の列に示されている。
【００６３】
表１の最後の３つの段には、リフォーマート、塔の流出物および異性化物の、RON （リサーチ法）、MON （モーター法）、および（RON ＋MON ）／２（平均オクタン）オクタン価が示されている。異性化物は、留出物より３ポイント高いオクタン価を有し、燃料の成分として有効利用しうる。ただし、このためには、これを安定化させる、すなわち主として、１分子あたり炭素原子数７のイソパラフィンの分解によって、異性化の間に形成された非常に揮発性の高い成分（Ｃ３−）の３％の蒸溜によってこれを除去するという条件を伴なう。蒸溜残渣と、安定化異性化物とを混合して、平均オクタン価90.3の、ベンゼンとオレフィンとがほとんど除去されたガソリンを再構成する。出発リフォーマートと比較すると、再構成されたガソリンは、従って、0.3 ポイントの平均オクタン価のロスを示し、収率ロスが0.8 ポイントで生成される。
【００６４】
表１：実施例１に関する種々の流の組成（重量％）およびオクタン価
【表１】
0003806810.tif 000002
【００６５】
実施例２
同じ装置を用いて、実施例１に記載された運転を再現する。水素化および異性化触媒は同じであり、蒸溜塔に関するもの以外は操作条件も同じである。底部の温度の調節規定は、188 ℃に定められている。このようにして、蒸溜帯域の頂部流出物は、シクロヘキサンおよび１分子あたり炭素原子数７のイソパラフィンが事実上含まれていない。
【００６６】
蒸溜塔の底部および頂部において、各々流量195.7 および54.2ｇ／ｈで、残渣および留出物を回収する。これらの組成とオクタン価は、表２の３列目と４列目に示されている。表の最後の列には、異性化物の組成とオクタン価が示されている。
【００６７】
実施例１と比較して、留出物のシクロヘキサン含量ははるかに低くなり、１分子あたり炭素原子数７のイソパラフィン含量は非常に低い。この異性化によって、事実上、非常に揮発性の高い生成物（Ｃ−）形態でのロスもなく、この平均オクタン価を10ポイント以上上げることができる。異性化物と蒸溜残渣とを混合して、ベンゼンとオレフィンがほとんど含まれていない、再構成ガソリンが得られる。これの平均オクタン価は、90.8である。すなわち出発リフォーマートのものより顕著に高く、収率の有意のロスもない。
【００６８】
表２：実施例２に関する種々の流の組成（重量％）およびオクタン価
【表２】
0003806810.tif 000003
【図面の簡単な説明】
【図１】  本方法の第一実施態様を示すフローシートである。
【図２】  本方法の第二実施態様を示すフローシートである。
【図３】  本方法の第三実施態様を示すフローシートである。
【図４】  触媒セルを示す垂直断面図である。
【符号の説明】
(2) ：内側蒸溜部を含む塔、または蒸留塔
(3) ：内側触媒部
(4a)，(4b)，(4c)，(4d)，(4) ：水素を供給する管路
(5) ：リフォーマートの最も揮発性の低いフラクションを回収する管路
(7) ：リフォーマートの最も揮発性の低いフラクションを排出する管路
(9) ：炭化水素の蒸気を取出す管路
(18)：異性化帯域
(25)：抜出し棚段から液相を抜出す管路
(32)：流出物を塔へ再循環する管路
(33)：水素化反応器
(41)：触媒セル
(42)：グリッド
(43)：触媒保持グリッド
(44)：触媒
(45)：上部蒸溜棚段
(46)(47)：下降管
(48)：低部蒸溜棚段
(49)：煙突状の中央流路
(50)(51)(53)：オリフィス
(52)：水素導管
【図１】
0003806810.tif 000004
【図２】
0003806810.tif 000005
【図３】
0003806810.tif 000006
【図４】
0003806810.tif 000007